Podtech/llm-jp-corpus-v4-ja_patent huggingface dataset:
(57)【要約】      （修正有）【課題】人が入れない場所、高い所の下側、横側など、足場を掛けなければ出来なかった作業が片側だけで出来、作業が容易になる間隙用座金の提供。【解決手段】座金を異形にする事でボルト頭の径の隙間があれば作業が出来る。【選択図】図１
0003133588.tif 000002
【実用新案登録請求の範囲】
【請求項１】
被接合材の隙間に合う、鋼材で作られた適当な大きさの四角または丸形の中ほどからボルトの軸径よりやや大きめの幅の切り込みを入れ、前記切り込みの幅よりやや大きめの直径を有するサドルを切り込み部の中程に設けてなるボルト用座金。
【考案の詳細な説明】
【技術分野】
【０００１】  本考案は、ボルト頭の径の隙間があれば、使用できる座金である。
【背景技術】
【０００２】  現在知られているボルト用座金は丸形、四角形、波形を設けたもの、角度をつけたテイパー座金が知られている、その他特殊な座金としてナットと座金を一体としたもの座金とスプリングワッシャが一体となったものが殆どである。
【考案の開示】
【考案が解決しようとする課題】
【０００３】  手の入らない隙間箇所でのボルト固定金具としては、Ｔの字型があるが物体の形状によりＴの字の丸棒、鉄棒が強度に耐えきれず曲がってしまったり、振動を与えれば隙間から外れたりする事があり不十分である、この問題を解決する座金を提供することが課題である。
【課題を解決するための手段】
【０００４】  本考案は、強度の有る鋼材の四角又は丸型の座金の片側をＵ字型に切り込みを入れ、切り込みの上に使用するボルトよりやや大きめのサドルを取り付け、座金を外れなくし一度隙間に入って固定したらナットが緩み振動があってもナットが外れるまで外れる事はなく問題点を解決した。
【考案の効果】
【０００５】  ボルトの頭が入れば使用可能になり、裏側からボルトを入れる手間が省け片側一方だけで作業が可能になった。
【考案を実施するための最良の形態】
【０００６】  座金を落とさないようにするため、ボルトの大きさよりやや大きめのサドルを取り付けサドルの片側を固定せずフリーにすることによりボルトの径が多少太くなっても細くなっても利用でき、下面、横面、上面向きにもボルトの頭の径の隙間があれば使用でき、あらゆる場所で安全に作業ができる。
【実施例】
【０００７】  以下添付図面に従って、一実施例を説明する、図１は被接合材に取り付ける形態である、１は適撰素材に切込みを入れて形成された座金本体、２は座金にボルトを落ちなくするためのサドルである、３はボルトで４はボルトの頭で被接合材の形状によりボルトの長さを決めればよい。【０００８】  座金本体１、サドル２を取り付けた座金を使用することにより、今まで裏側に回りボルトを入れなければならなかった作業が、表側から片側だけで出来るので安全かつ容易にボルト取り付けができ、作業効率が上がり利用価値は大きい。
【図面の簡単な説明】
【０００９】
【図１】本考案の実施例を示す立体図である。
【図２】切り込みに沿いボルトを起こす過程の立体図である。
【図３】物体を固定するための形態である。
【図４】形状の違う被接合材に固定するための実施の一部切欠断面図である。
【図５】形状の違う被接合材に固定するための実施の一部切欠断面図である。
【図６】形状の違う被接合材に固定するための実施の一部切欠断面図である。
【符号の説明】
【００１１】      １  座金本体
２  サドル
３  ボルト
４  ボルトの頭
【図１】
0003133588.tif 000003
【図２】
0003133588.tif 000004
【図３】
0003133588.tif 000005
【図４】
0003133588.tif 000006
【図５】
0003133588.tif 000007
【図６】
0003133588.tif 000008
(57)【要約】      （修正有）【課題】水流、圧力、噴流を詳細に観測できる。【解決手段】本考案は給水管１の下側と長方形の該容器２の側面に水位を表示する水位管上中下３を設け更に反対側面にバルブ上中下７を設け更に上面側にも噴流バルブ６を設け流出する流量を調整できるようにし、水位管３の上部から色の違う色粉を投入する事により更に水流、水圧、噴流を詳しく観測する事ができるようにした。【選択図】図１
0003133589.tif 000002
【実用新案登録請求の範囲】
【請求項１】
透明な該容器の上に給水管を取り付け該容器の上面に複数の噴出用バルブ、側面に複数の高さを変え任意に排出用バルブを設け、その反対側面から複数の水位管を立ち上げて成る、水流水圧噴流観測器。
【考案の詳細な説明】
【技術分野】
【０００１】  本考案は水流水圧噴流観測器に関するものである。
【背景技術】
【０００２】  単体の水槽でのサイホンの原理オリフィスの流れ等の観測器は個々あるが、給水管と該容器を重ね継ぎ目に任意の穴を開け、下の容器にも前記と同じ大きさの穴を設け、給水管を一定水位に保ち該容器から流出したとき該容器の中を観察する観測器はなく色々な事象を判定できない。
【考案の開示】
【考案が解決しようとする課題】
【０００３】  一定圧の動流体における上側給水管と下側該容器をつなぎ該容器の水流、圧力、噴流を観測する事において色々な事象を再現する。
【課題を解決するための手段】
【０００４】  透明な素材で作った上側給水管と下側該容器を組み合わせ接合部の中程に水道水で補充できるだけの穴を設け、その穴の大きさと同じ穴を同じ高さの該容器の上面に数箇所穴を開け噴流バルブを設ける、該容器側面に上中下と穴を開け給水管の下方に１箇所穴を開け水位菅を設ける、反対該側面にも上中下穴を開けバルブ設け、該容器の下面にも１箇所穴を開け排水にも使用する排出バルブを設ける、給水管の上に水を受ける受け皿を取り付け水道水のホースを直接円筒形の中に入らないようにし水量を調整するようにした。
【考案の効果】
【０００５】  上述の様に本考案の観測器は一定水位の元における上給水管下該容器の接合部に任意の穴を開け、そこから流入した水を該容器の上部、側部、下部から流出した場合の動流体の水流、水圧、噴流を観測器で観て分りデーターが取りやすく応用次第で様々な事象が分り研究、実験、教材用として役に立つものである。
【考案を実施するための最良の形態】
【０００６】  穴の大きさを一般家庭で使用する水道水で調整できる程度の大きさのバルブを設けそのバルブの中を大、中、小の穴を空け水量を調整できるようにし、水流、水圧、噴流の変化を詳細に観測できるようにする。
【実施例】
【０００７】  以下添付図面に従って実施例を説明する。１は水道水を注水する給水管、２は該容器、３は水位を表わしさらに上部から色粉を入れ流れに色をつける給水管、４は水道水のホースが直接給水管に入らないようにするための水受け皿、いずれもアクリル樹脂のような透明な素材で形成された観測器で１給水管と２該容器を８フランジと９ボルトで連結し固定する、５は水位菅を固定するバンドである。６は大、中、小の穴を持つバルブで噴流を調整するために設け、７は水流の流れを観るためのバルブで１０は水抜きを兼ねた排出バルブである。
【図面の簡単な説明】
【０００８】
【図１】水流水圧噴流観測器の正面図である。
【図２】水流水圧噴流観測器の立体図である。
【符号の説明】
【０００９】      １    給水管
２    該容器
３    水位菅
４    水受け皿
５    水位菅固定バンド
６    噴流バルブ
７    バルブ
８    フランジ
９    ボルト
１０  排出バルブ
【図１】
0003133589.tif 000003
【図２】
0003133589.tif 000004
(57)【要約】      （修正有）【課題】メーカー、種類により異なるキャディーバッグ本体のホック位置に対応可能なキャディーバッグフードを提供する。【解決手段】キャディーバッグフードの構成生地１および４に伸縮機能をもつギャザー構造３を付加し、ホック２の位置をギャザーの伸縮機能により調整可能にすることにより、メーカー、種類により異なるキャディーバッグ本体のホック位置に対応可能なキャディーバッグフードを実現する。【選択図】図１
0003133581.tif 000002
【実用新案登録請求の範囲】
【請求項１】
キャディーバッグフードの最下部周囲にゴムを縫い込んだギャザーを付加し伸縮機能を設け、メーカー、種類により異なるキャディーバッグ本体のホック位置に対応できるところを特徴とするホック位置調整機能ギャザー入りキャディーバッグフード
【考案の詳細な説明】
【技術分野】
【０００１】  本考案は、キャディーバッグフードに関するものである。
【背景技術】
【０００２】  キャディーバッグ本体にフードを取り付けるためのホック位置はメーカー、種類により異なっている。
【考案の開示】
【考案が解決しようとする課題】
【０００３】  キャディーバッグフードの破損等による取替えが必要な場合、キャディーバッグ本体にフードを取り付けるためのホック位置はメーカー、種類により異なっているため、フード部代替品のホック位置はその都度計測の上製作しなければならず、時間と労力と費用のかかるものであった。
【課題を解決するための手段】
【０００４】  本考案は、キャディーバッグフードの最下部周囲に伸縮機能をもつギャザー構造を付加し、異なるホック位置にも対応可能にすることにより問題点を解決している。
【考案の効果】
【０００５】  上述の様に、本考案のホック位置調整機能ギャザー入りキャディーバッグフードはメーカー、種類により異なるホック位置に対応でき、手軽に安価でフードのみ取替えが可能になる為、使用可能なキャディーバッグ本体の廃棄回避に役立つ。
【考案を実施するための最良の形態】
【０００６】  キャディーバッグフード作成のための生地を通常サイズより大きく裁断し、縫製の段階でフード最下部の周囲にゴムを縫い込みながらギャザーを寄せ伸縮機能を付加する。
【実施例】
【０００７】  以下、添付図面に従って一実施例を説明する。１は合成皮革および合成繊維等適宜素材を裁断したフード本体、２はフード最下部のホック、３はフード最下部のホック位置を伸縮機能により調整可能とするギャザー部分、４は１と縫合される合成皮革および合成繊維等適宜素材を裁断したフードのマチ部分、５は開閉用チャックである。
【図面の簡単な説明】
【０００８】
【図１】キャディーバッグフードの完成時の立体図である。
【図２】本考案のホック位置調整機能ギャザー入りキャディーバッグフード本体の展開図（裁断図）である。
【図３】キャディーバッグフードのマチ部分の展開図（裁断図）である。
【符号の説明】
【０００９】  １  フード本体
２  ホック
３  ギャザー部分
４  マチ部分
５  チャック
【図１】
0003133581.tif 000003
【図２】
0003133581.tif 000004
【図３】
0003133581.tif 000005
(57)【要約】      （修正有）【課題】バネが熱せられると反発力が落ちるので冷やす。【解決手段】バネの断面中芯部に空洞を設けるか又はバネを冷却パイプで覆って各各水を通して冷やす。【選択図】図１
0003133583.tif 000002
【実用新案登録請求の範囲】
【請求項１】
バネ（１）の断面中芯部を空洞（１）を設ける事を特徴とした冷却手段付バネ
【請求項２】
バネ（４）冷却パイプ（３）で覆う事を特徴とした冷却手段付バネ。
【考案の詳細な説明】
【技術分野】
【０００１】バネの温度を冷やす事に関するものである。
【背景技術】
【０００２】エンジンを冷やす技術はあった
【考案の開示】
【考案が解決しようとする課題】
【０００３】バネを冷やすのに水を使うのでバネスペース全部に水を水れると隙間から水が漏れる。
【課題を解決するための手段】
【０００４】バネの断面中芯部に空洞部を設けて水を通す。【０００５】バネの廻りを冷却パイプで覆い水を通す。
【考案の効果】
【０００６】バネの温度が上がらないのでバネの反発力が落ちない。
【考案を実施するための最良の形態】
【０００７】バネの断面中芯部に空洞２設けて水を通す。
【実施例】
【０００８】太いバネは断面中芯部に空洞を設け、細いバネはバネの廻りを冷却パイプで覆う。
【産業上の利用可能性】
【０００９】火力発電所の燃焼ガスを容積形流体モータに通す時容積形流体モータのシールが微動するのでバネを使うがバネが熱せられるので冷やす。
【図面の簡単な説明】
【００１０】
【図１】通水部を中に通した図である。
【図２】通水部を外側に通した図である。
【符号の説明】
【００１１】バネ            １．４
空洞            ２
冷却パイプ      ３
【図１】
0003133583.tif 000003
【図２】
0003133583.tif 000004
(57)【要約】【課題】風や運動により装着者のネクタイが翻った場合に、全体としては従来のネクタイと同様の強弱のある反転変化を楽しむことができると同時に、裏面が現れた場合にそれ自体により人目を引き、その変化態様を更に華麗なものとすることのできるネクタイを提供する。【解決手段】本考案に係るネクタイ１０では、裏地として従来のような専用の薄手の、且つ、淡色の裏地を用いるのではなく、通常のネクタイ２０の表地２１として使われる生地を裏地１３として用いる。ただし、従来のリバーシブルネクタイとは異なり、ネクタイ１０自体には表裏が明確にある。すなわち、表地１１は裏側の周囲の縁まで折り込まれて裏側の縁取り１２を形成し、裏地１３は裏側の縁を除く中央部分にしかない。裏地１３には他のネクタイの表地２１を用いるため、使用されなくなったネクタイや売れ残りのネクタイ等を無駄なく再利用することができる。【選択図】図１
0003133884.tif 000002
【実用新案登録請求の範囲】
【請求項１】
他のネクタイの表地を裏地に用いたことを特徴とするネクタイ。
【考案の詳細な説明】
【技術分野】
【０００１】
本考案はネクタイに関する。
【背景技術】
【０００２】
通常、ネクタイの裏地には、無地又は無地に近い薄地の布地が用いられている。それに対し、表裏に異なる、表地となる生地を用いて、表側でも裏側でも用いることのできるネクタイ（リバーシブルネクタイ）が過去にいくつか提案されている（特許文献１、同２）。
また、裏地に特殊な生地を用いたネクタイも考案されている（特許文献３）。
【特許文献１】実開平06-0020421号公報
【特許文献２】実用新案登録第3015746号公報
【特許文献３】実用新案登録第3010826号公報
【考案の開示】
【考案が解決しようとする課題】
【０００３】
ネクタイは、装着者が静止しているときには表のみしか見えないが、風が吹いたときや装着者が走ったときには翻り、裏が見える。ネクタイの真骨頂は、このような躍動感のある動きをしたときに華麗に翻り、瞬間瞬間に裏側を見せて変化を楽しませる点にあると言って過言ではない。
【０００４】
従来より提案されているリバーシブルネクタイは、両面とも表とすることを基本的思想とするため、裏側の慎ましさという点に欠け、前記のように翻った場合には普通のネクタイのような表裏の強弱のある反転変化とは異なる、強弱のない変化態様を呈して、見る者に違和感を与える。
【０００５】
本考案は、風や運動により装着者のネクタイが翻った場合に、全体としては従来のネクタイと同様の強弱のある反転変化を楽しむことができると同時に、裏面が現れた場合にそれ自体により人目を引き、その変化態様を更に華麗なものとすることのできるネクタイを提供するものである。
【課題を解決するための手段】
【０００６】
上記課題を解決するために成された本考案に係るネクタイは、他のネクタイの表地を裏地に用いたことを特徴とする。
【考案の効果】
【０００７】
本考案に係るネクタイでは、裏地として従来のような専用の薄手の、且つ、淡色の裏地を用いるのではなく、通常のネクタイの表地として使われる生地を裏地として用いる。ただし、従来のリバーシブルネクタイとは異なり、ネクタイ自体には従来のネクタイと同様の表裏が明確にある。
【０００８】
このため、風や運動により装着者のネクタイが翻った時、その表裏反転により従来のネクタイと同様に表裏の強弱のある反転変化を楽しむことができると同時に、裏面が現れた場合に、裏地に通常のネクタイと同じ生地・素材を用いているため、その瞬間において人目を引き、変化態様を更に華麗なものとする。
【０００９】
本考案のネクタイで用いる裏地には他のネクタイの表地を用いるため、使用されなくなったネクタイや売れ残りのネクタイ等を無駄なく再利用することができる。この点で、本考案のネクタイは「もったいない」精神を重視する人々に適した主張体現道具となる。
【考案を実施するための最良の形態】
【００１０】
本考案に係るネクタイ１０の構成を図１(a)及び(b)に示す。図１(a)は本考案のネクタイ１０の主要部の表側の平面図であり、(b)は裏側の平面図である。通常のネクタイと同様、表地１１が裏側の周囲まで折り込まれており、その内部側に裏地１３が設けられているが、本考案に係るネクタイ１０では、この裏地１３には、通常のネクタイ２０（図１(c)）で表地２１として使用されている生地を用いる。
【００１１】
このように、本考案に係るネクタイ１０では、裏地として従来のような専用の薄手の、且つ、淡色の裏地を用いるのではなく、通常のネクタイ２０の表地２１として使われる生地を裏地１３として用いる。ただし、従来のリバーシブルネクタイとは異なり、ネクタイ１０自体には従来のネクタイと同様の表裏が明確にある。すなわち、図１(b)に示すように、表地１１は裏側の周囲の縁まで折り込まれて裏側の縁取り１２を形成し、裏地１３は裏側の縁を除く中央部分にしかない。
【図面の簡単な説明】
【００１２】
【図１】本考案のネクタイの主要部の表側(a)及び裏側(b)の平面図、並びに、その裏地を表地として用いたネクタイの表側の平面図。
【符号の説明】
【００１３】
１０…本考案のネクタイ
１１…表地
１２…裏側の縁取り
１３…裏地
２０…従来のネクタイ
２１…従来のネクタイの表地
【図１】
0003133884.tif 000003
(57)【要約】      （修正有）【課題】固定操作しやすく、且つ確実に放熱器を発熱源に固定することができる放熱器の固定装置を提供する。      【解決手段】長尺状本体１の中段部に押止部を形成し、この押止部の一方又は両側方に平面が大面積の手を掛ける箇所を有する加圧部１２を設け、さらに両端部に発熱部１５のフック１６に掛止する固定部１３を形成している。押止部は、放熱器２のフィン間に形成した固定溝１４に嵌入して放熱器２を発熱源１５に確実に固定するようになっている。【選択図】図２
0003133887.tif 000002
【実用新案登録請求の範囲】
【請求項１】
長尺状の本体中段に加熱器を押さえるための押止部を形成し、この押止部の両端部に端部を外向き上側に傾斜させて屈曲させた固定部を形成し、この固定部を発熱源のフックに引っかけて固定可能とし、且つ少なくとも前記固定部に近い箇所に少なくとも一折曲した加圧部を形成して、この加圧部によって必要な力を容易に加えて前記押止部を放熱器のフィン間に形成した固定溝に嵌入して該放熱器を発熱源に固定するようにしたことを特徴とする放熱器の固定装置。
【請求項２】
前記押止部の一端側又は両端側に外向き傾斜の加圧部を形成したことを特徴とする請求項１記載の放熱器の固定装置。
【請求項３】
前記押止部は、凹凸状、階段状、環状、波形状に成形することを特徴とする請求項１記載の放熱器の固定装置。
【考案の詳細な説明】
【技術分野】
【０００１】
本考案は、容易にしかも確実に放熱器を発熱源に固定することを可能とした放熱器の固定装置に関するものである。
【背景技術】
【０００２】
科学技術の進歩に従い、電子部品の活用は益々高くなっている。そのため、電子部品を使用する際に発生する熱を放熱し、過熱問題を解決する放熱器が有する放熱機能の要求はより高まっている。
【０００３】
従来の放熱器固定装置は、放熱器を電子部品である発熱源に直接密着させて固定し、放熱器が発熱源から緩まないようにして放熱機能を発揮させている。そのため、放熱器固定装置は非常に重要であり、しっかりと押さえなければならず、放熱器が発熱源から緩んでしまうと、放熱器と発熱源間の接触面の熱抵抗が下がり、放熱器が良好な吸熱機能を発揮できなくなる。
【０００４】
下記特許文献１は、放熱器掛合裝置であり、この掛合裝置は、金属条を湾曲して形成され、押圧部と二つの支持部を備えている。この押圧部が放熱器を押さえ、両支持部は前記押圧部を湾曲して形成され、該支持部の端部には掛合部が構成され、関連部品と共に掛合されるようになっている。
【特許文献１】台湾  実用新案登録第５６４００９号  しかしながら、上記従来の放熱器掛合裝置は、放熱器を関連部品に掛合し、それを発熱源上に固定するようになっている。しかしながら、その支持部末端部は鋭角状の小さな湾曲部に形成され、操作時の手による押圧のための加圧部が設けられておらず、そのため操作時に指を刺したり、或いは必要な力を加えることができないことにより、しっかりと設置できなかったりすることがある。そのため、この種従来の放熱器固定装置には、固定及び固定操作上の問題があった。
【考案の開示】
【考案が解決しようとする課題】
【０００５】
解決しようとする問題点は、上述したように固定操作時に手で押圧するための加圧部が設けられていないので、操作時に指を刺したり、必要な力を加えることができずに、しっかり固定できなかったりすることがあり、固定及び固定操作上に問題がある点である。
【０００６】
本考案はこれらの事情に鑑みてなされたもので、操作時に指を刺したりすることがなく、また必要な力を加えることができ、確実かつ容易に放熱器を発熱源に固定することができるようにした放熱器の固定装置を提供することを目的とする。
【課題を解決するための手段】
【０００７】
本考案の一態様による放熱器の固定装置は、長尺状の本体中段に加熱器を押さえるための押止部を形成し、この押止部の両端部に端部を外向き上側に傾斜させて屈曲させた固定部を形成し、この固定部を発熱源のフックに引っかけて固定可能とし、且つ少なくとも前記固定部に近い箇所に少なくとも一折曲した加圧部を形成して、この加圧部によって必要な力を容易に加えて前記押止部を放熱器のフィン間に形成した固定溝に嵌入して該放熱器を発熱源に固定するようにした。
【考案の効果】
【０００８】
本考案の放熱器の固定装置は、操作時に指を刺したりすることがなく、また必要な力を加えることができ、確実かつ容易に放熱器を発熱源に固定することができる。
【考案を実施するための最良の形態】
【０００９】
以下、図面を参照して本考案の実施例を説明する。
【実施例】
【００１０】
図１から３に示すとおり、本考案の実施例の放熱器固定装置は、弾性を有する金属条を折曲して構成されている。この固定装置は、金属条からなる長尺状本体１の中段部に押止部１１を形成し、この押止部１１の一方又は両側方に加圧部１２を設け、さらに両端部に固定部１３を形成している。この押止部１１は凹凸状、階段状、環状、波形状、もしくはその他押し止めの効果を備える形状であればよく、放熱器２のフィン間に形成した固定溝１４に嵌入して放熱器２を発熱源１５に確実に固定するようになっている。
【００１１】
前記加圧部１２は、押止部１１の一端若しくは両端から外向きに傾斜して伸び、折曲して平面が大面積の手を掛ける箇所を形成し、そこに手で圧力を加えることができるようになっている。本実施例では片辺の加圧部１２を示している。前記固定部１３は、押止部１１の両端部に端部を外向き上側に傾斜させて屈曲させて形成されており、該固定部１３は電子部品などである発熱源１５に設けたフック１６に掛止されるようになっている。
【００１２】
本実施例の固定装置を実施するときは、先ず固定装置の押止部１１を放熱器本体のフィン間に設けた固定溝１４上に位置させ、該押止部１１の両端側の各固定部１３を発熱源１５のフック１６に掛合する。次に、加圧部１２に手で下向きの圧力を加えて、上記放熱器本体のフィン間に設けた固定溝１４上に位置させた押止部１１を該固定溝１４に嵌入して固定することにより、放熱器２を発熱源１５に確実に固定することができる。
【００１３】
本実施例においては、加圧部１２が、手で押圧するための面積が大きく、良好な押圧手段を提供し、したがって固定操作上、容易に、且つ確実に行うことが可能であり、従来の欠点を改善している。
【００１４】
上述はすべて本考案の良好な実施例にすぎず、本考案を利用した方法、形状、構造、装置等の変化は、すべて本考案の範囲内である。
【図面の簡単な説明】
【００１５】
【図１】本考案実施例における固定装置の立体図である。
【図２】本実施例の固定装置を用いた放熱器と発熱源との未固定状態を示す説明図である。
【図３】本実施例の固定装置を用いた放熱器と発熱源との固定状態を示す説明図である。
【符号の説明】
【００１６】
１        本体
１１        押止部
１２        加圧部
１３        固定部
１４        固定溝
１５        発熱源
１６        発熱源のフック  
２        放熱器
【図１】
0003133887.tif 000003
【図２】
0003133887.tif 000004
【図３】
0003133887.tif 000005
(57)【要約】【課題】光触媒としての抗菌等の機能を発揮させつつ、意匠性を有する特殊印刷物を提供すること。【解決手段】特殊印刷物１０は、第１〜３用紙片１，２，３が同一方向に連接されたものであり、その全面に、光触媒の一種である酸化チタンが含浸ないしコーティングされ、第１用紙片１には、レーザー加工により様々な意匠が施されている。第１用紙片１は、特殊印刷物１０が巻き三つ折りされると、内側に位置する。また、第３用紙片３の小片８を用いて製本することができる。【選択図】  図１
0003133855.tif 000002
【実用新案登録請求の範囲】
【請求項１】
複数の用紙片が同一方向に連接され、折り加工された印刷物であって、内側に位置される用紙片には、光触媒が施されて、レーザー加工により意匠が形成されており、少なくとも前記用紙片の一部は、大気に露出していることを特徴とする特殊印刷物。
【請求項２】
外側に位置される用紙片には、製本するための小片が形成されていることを特徴とする請求項１に記載の特殊印刷物。
【考案の詳細な説明】
【技術分野】
【０００１】
本考案は、中綴本や無線綴本に綴じ込まれる折丁を始めとして、冊子、カード、付録等として用いられる特殊印刷物に関する。
【背景技術】
【０００２】
従来、抗菌、脱臭効果等を有する光触媒が注目されている。光触媒は、光（紫外線）が当たると、高エネルギーに遷移して電子を放出し、強い酸化力を有する正孔を形成するもので、その正孔は水中にあるイオンから電子を奪うため、そのイオンはラジカル化して強い酸化力を有することとなる。さらに、そのラジカル化したイオンが有機物等から電子を奪うため、有機物等は結合が分断されて分解されてしまい、大気中に発散されてしまう。このような光触媒は、紙に含浸させて利用するなど様々な分野で応用されてきている（例えば、特許文献１参照）。
【特許文献１】特許第３７０４６９１号公報
【特許文献２】特開２００２−２４０８３１号公報
【特許文献３】特開昭６１−２４２７８３号公報
【考案の開示】
【考案が解決しようとする課題】
【０００３】
ところが、光触媒を施した用紙にインキで印刷してしまうと、光が用紙の表面に直接当たらなくなったり、有機物等を分断して大気中に発散できなくなるなど、光触媒の効果が得られなくなる。そこで、本考案は、光触媒としての抗菌等の機能を発揮させつつ、意匠性を有する特殊印刷物を提供することを目的とする。
【課題を解決するための手段】
【０００４】
本考案に係る特殊印刷物は、複数の用紙片が同一方向に連接され、折り加工された印刷物であって、内側に位置される用紙片には、光触媒が施されて、レーザー加工により意匠が形成されており、少なくとも前記用紙片の一部は、大気に露出していることを特徴とする。
【０００５】
この特殊印刷物によれば、内側に位置される用紙片は、レーザー加工により意匠が形成されて意匠性が施されており、少なくとも用紙片の一部は大気に露出していることから、光が直接当たって光触媒としての抗菌等の機能を確保することができる。また、レーザー加工により意匠が形成された用紙片は、特殊印刷物の内側に位置されているため破損しにくい。
【０００６】
さらに、この特殊印刷物において、外側に位置される用紙片には、製本するための小片が形成されているとよい。この構成により、小片を喉部に綴じ込むか、頁に貼り付けて製本することができる。
【考案の効果】
【０００７】
本考案によれば、光触媒としての抗菌等の機能を発揮させつつ、意匠性を有する特殊印刷物を提供することができる。
【考案を実施するための最良の形態】
【０００８】
以下、図面を参照しながら、本考案に係る特殊印刷物の好適な実施形態について説明する。
【０００９】
図１に示すように、特殊印刷物１０は、第１用紙片１、第２用紙片２、及び第３用紙片３の三枚の用紙片が同一方向に連接されたものである。この特殊印刷物１０には、その全面に、光触媒の一種である酸化チタンが含浸ないしコーティングされている。各用紙片１，２，３の境界は、巻き三つ折りの折線となっている。
【００１０】
第１用紙片１の天部４は、レーザー加工により西洋風の城壁をあしらった形状となるように切断されている。また、第１用紙片１の中央６には、目・鼻・口の形状がレーザー加工により施され、顔の輪郭が認識できるよう薄くインキ層が印刷されている。さらに、第１用紙片１の下部には、「Ｈａｐｐｙ  Ｈａｌｌｏｗｅｅｎ」という装飾文字がレーザー加工により切り落とされている。このように、第１用紙片１には様々な意匠が施されており、第１用紙片１の中央６に形成された顔の輪郭の内側以外は、直接光（紫外線）が光触媒に照射されるよう、用紙片が大気に露出している。なお、このレーザー加工は、酸化チタンが施された用紙が焦げないエネルギー量で行われる。
【００１１】
第３用紙片３の端部には、小片８が形成されている。したがって、図２及び図３に示すように、特殊印刷物１０を巻き三つ折りで折り、小片８を喉部に綴じ込むか頁に貼り付けて製本することができる。
【００１２】
特殊印刷物１０はこのような構成であるため、第１用紙片１は、印刷に大きく依存することなく、レーザー加工により意匠性が高められ、しかも、その大部分は大気に露出していることから光が直接当たるため、光触媒紙としての抗菌性、脱臭、空気浄化等の機能を確保することができる。さらに、第１用紙片１は、巻き三つ折りされて内側に位置するため、レーザー加工された細工部分も破損しにくい。
【００１３】
なお、以上、本考案の実施の形態について詳細に説明してきたが、本考案による特殊印刷物は、上記実施の形態に何ら限定されるものではなく、本考案の趣旨を逸脱しない範囲において種々の変更が可能であることは当然のことである。
【００１４】
例えば、上記実施形態では、光触媒として酸化チタンを使用したが、これに限らず、過酸化チタン、酸化亜鉛など他の光触媒物質を用いてもよい。
【００１５】
また、レーザー加工による意匠は、用紙片を切断することで作製したが、エネルギー量等を調整することで透かし彫り模様を形成してもよい。また、特殊印刷物１０は、巻き三つ折りで加工したが、レーザー加工により意匠が施された用紙片が内側になる折加工であれば、観音折りや外三つ折りなど他の折加工であってもよい。
【００１６】
また、光触媒の効果を最大限確保するため、用紙片には、インキ層を一切印刷しないようにしてもよい。
【００１７】
また、各用紙片のいずれか又は全部に、リラックス効果や集中力を高めるための芳香剤を含浸させてもよい。
【図面の簡単な説明】
【００１８】
【図１】本考案に係る特殊印刷物の一実施形態を示す平面図である
【図２】本実施形態における特殊印刷物の折加工の過程を示す斜視図である。
【図３】本実施形態における折加工された特殊印刷物を示す斜視図である。
【符号の説明】
【００１９】
１…第１用紙片、２…第２用紙片、３…第３用紙片、４…第１用紙片の天部、６…第１用紙片の中央、７…第１用紙片の下部、８…小片、１０…特殊印刷物。
【図１】
0003133855.tif 000003
【図２】
0003133855.tif 000004
【図３】
0003133855.tif 000005
(57)【要約】      （修正有）【課題】通称スキンヘットと言うヘアースタイルなどで、Ｔ字型カミソリで自分自身の頭髪を自分自身で剃る時、圧力加減を指先に感じながら又、後頭部の髪を剃る時などは、視界がないが指先にカミソリ刃の圧力加減の感覚を感じて、安定して頭髪を深く剃る事が出来るフィンガーレーザーの提供。【解決手段】中指と人差し指の間に固定させたレザーにより、自分自身の頭髪を自分自身で剃る時、指先にカミソリ刃の圧力加減を感じながら、頭髪を深く剃る事が出来る。【選択図】図１
0003133857.tif 000002
【実用新案登録請求の範囲】
【請求項１】
中指と人差し指の間でレザー本体の左右側面を挟んで固定させて中指と人差し指間の甲側に滑り落ちない様にガードを付けて中指と人差し指の平側にカミソリ刃本体を、支持する部材を設置した台を付けたレザー本体であり上部にあたる指の甲側よりも、レザー本体の下部にあたる指の平側の本体部分の比重を重くする事により、さらに安定したバランスをとる事が出来るフィンガーレザーである。  
【考案の詳細な説明】
【技術分野】
【０００１】
本考案は、通称スキンヘットと言うヘアースタイル
などで自分自身の頭髪を自分自身で剃る時、指先に圧力感覚を感じながら、簡単な操作で頭髪を剃る事が出来るレザーである。
【背景技術】
【０００２】
浴室や洗面場などで、自分自身の頭髪を自分自身で剃る時髭剃り用のＴ字型のレザーなどで頭髪を剃っています。
【考案の開示】
【考案が解決しようとする課題】
【０００３】
通称スキンヘットと言うヘアースタイルの時髭剃り用のＴ字型のレザーなどで、レザーの柄の部分を指で摘んで剃る為、カミソリ刃の圧力感覚が掴みにくく又後頭部を剃る時、視界がなく感覚で施行しています。
【課題を解決するための手段】
【０００４】
自分自身の頭髪を自分で剃る時、中指と人差し指の間にレザーの側面を挟んで安定させ、カミソリ刃の圧力加減を指先に感じながら、自分自身の頭髪を自分自身で簡単な操作で剃る事が出来る。
カミソリの刃はガード付刃など、剃る時頭皮にかかる負担や安全性を重視したカミソリ刃があります。さらに圧力加減を指先に感じながら頭髪を安全に安定して剃る事が出来る。
【考案の効果】
【０００５】
頭髪を剃る時、指先にカミソリ刃の圧力加減をより一層感じながら、剃る事が出来る為頭皮からでた毛髪の元の部分より深く剃る事ができる。後頭部の髪を剃る時など、視界はないがカミソリ刃の圧力加減を、指先感覚で感じながら安定して頭髪を深く剃る事が出来る。
【考案を実施するための最良の形態】
【０００６】
中指と人差し指の間で図１で示す様に、レザー本体のＢ部分の左右側面を指先で挟んで固定させる。中指と人差し指の間の甲側に図２で示す様に、すべり落ちないＡガードを付ける。中指と人差し指の間の平側のＣ台に替刃式カミソリ刃Ｅを、支持する部材を設置した台Ｄを付ける。中指と人差し指の間の平側に図３で示す様に替刃式カミソリ刃本体Ｅは、ガード付替刃などで頭髪を剃る時、頭皮にかかる負担を抑えてより安全性を高める替刃を装着させた方が、さらに安全性を高める事が出来る。バランス的に、レザー本体の上部にあたる指の甲側よりも、レザー本体の下部にあたる指の平側の本体部分の比重を重くする事により、さらに安定したバランスをとる事が出来る。
【図面の簡単な説明】
【０００７】
【図１】本考案に係る斜め上から見た全体図である。
【図２】指の甲側で本体が、滑り落ちない様にしたガードの図である。
【図３】指の平側の本体に替刃を装着した図である。
【符号の説明】
【０００８】
Ａ  中指と人差し指の間の甲側のガード図。
Ｂ  中指と人差し指の間で指で挟む側図面。  
Ｃ  中指と人差し指の間の平側で替刃式カミソリを固定させる台の図。
Ｄ  替刃カミソリ本体を支持する部材に設置する図。
Ｅ  替刃式カミソリ本体の図。
【図１】
0003133857.tif 000003
【図２】
0003133857.tif 000004
【図３】
0003133857.tif 000005
(57)【要約】【課題】  本考案は開閉蓋Ｂ付きの雨樋であって、多雪地帯でも屋根に雨樋Ａを取付けることによって家屋の汚損腐朽を防ぐことのできる雨樋を提供する。【解決手段】  雨樋Ａを屋根軒端より内側に設けること、雨樋Ａに開閉する蓋Ｂを設けることを構成とし、普常期は蓋Ｂを開放して雨水を受け、積雪期には蓋Ｂを閉じて屋根上の積雪による損害を防ぐ構成とする。【選択図】    図１
0003133893.tif 000002
【実用新案登録請求の範囲】
【請求項１】
雨樋Ａにおいて、雨樋Ａの外側上辺に回転軸（３）を設け、該回転軸（３）に蓋Ｂを開閉可能に装着し、雨樋Ａを軒端より内側に位置させたことを特徴とした開閉蓋付き雨樋。
【考案の詳細な説明】
【技術分野】
【０００１】
本考案は多雪地帯で用いる開閉蓋付きの雨樋に関する。
【背景技術】
【０００２】
多雪地帯での雨樋は、冬期屋根からの滑雪や雪氷塊の巻き込み或はツララの付着等様々な悪現象や悪条件によって毎年被害を受けているのが現状であって、その度に修理をやむなくされ、これによる費用も多額になっている。このため家庭によっては雨樋を設けない屋根も数多く見受けられる。
【０００３】
しかし、雨樋を設けていない屋根は、降った雨水を直接地面に落すため地盤をいため建物を汚損腐朽させること、また２階の屋根から１階の屋根に落ちる雨音がうるさいこと、さらには出入りに不便であるという悪い影響を与えている。
【特許文献１】特開平１１−３５０６７５号公報
【考案の開示】
【考案が解決しようとする課題】
【０００４】
屋根の積雪は、家内の暖房が進んできている近頃では融雪や雪の緩みが早まり、一気に雪崩のように滑落することや、また日中の暖気と夜間の冷気の繰返しによって屋根上の雪は徐々に滑下して軒端に巻き込むように溜るもの、或はツララとなって残るもの等様々な形となって、それぞれに雨樋をいため破損の原因となっている。
【課題を解決するための手段】
【０００５】
考案者はこの雪国での雨樋の様々な問題点を解決するため永年試作検討を加えた結果本考案に到達したものであって、本考案は雨樋に開閉自在の蓋を設けること、雨樋を屋根の軒端より内側に設けることを構成要件とするものである。
【０００６】
このような構成とすることによって積雪期は雨樋の蓋を閉じておくことによって屋根からの落雪や雪塊の巻き込みに触れることなく、またツララにも接することなく雨樋Ａの破損を防ぎ、無雪期にあっては雨樋Ａの蓋Ｂを外方に開放することによって屋根からの雨水を受けて、本来の雨樋としての役割を果す雨樋を提供することができる。図示していないが、雨樋の一端には従来通りの立樋を設けることは勿論である。
【考案の効果】
【０００７】
本考案の開閉蓋付き雨樋は、上述のように雨樋Ａに開閉する蓋Ｂを設けることによって雨樋の積雪による破損を防ぎ、しかも雨樋本来の作用も達することができ、年間を通して有効に利用することができるという作用効果を奏する。
【考案を実施するための最良の形態】
【０００８】
添付図面により本考案を実施するための最良の形態を説明すると、図１及び図２は共に本考案の開閉蓋Ｂ付きの雨樋Ａの実施例図で、図１は屋根（５）の軒先の内側、即ち外壁側（図示していない）に取付けた実施例図であって、本考案の雨樋Ａは図示されるように、軒端側の上端に開閉可能な蓋Ｂを設ける。
【０００９】
そして、この雨樋Ａの外壁側の他端は長く形成されて雨受け板（１）を形成し、しかも内側に向けて傾く如く取付ける。この内方に向ける角度は任意である。このように本考案の開閉蓋付きの雨樋Ａは、図示されているように雨樋Ａは軒端Ｘよりも内側に位置されているため、通常の季節は蓋Ｂを開放しておき、雪の降る季節は蓋Ｂを矢印ａのように閉じておく。
【００１０】
このように雨樋Ａの蓋Ｂを開閉可能とすることで冬期において屋根（５）上の積雪は軒端からの滑落、巻き込み、あるいはツララ等の現象が生じても雨樋Ａに触れることがなく、これによる雨樋Ａを損傷することがない。また雪のない季節は蓋Ｂを図示のように開放することによって、屋根（５）から落ちる雨水を受け、雨樋Ａに流して通常の作用を行うことによって家屋の損傷を防ぐことができる。
【００１１】
また図２は雨樋Ａの別の実施例図で、この図は屋根軒端に鼻隠し板（８）が設けてある形式の場合であって、このような屋根の場合には雨樋Ａの雨受け板（１）を短く形成して鼻隠し板（８）の内側に取付けることによって、雨樋Ａは軒端よりも内側に構成されていて、蓋Ｂを矢印ａの如く季節によって開閉することによって、雨樋Ａの破損を防ぐと共に蓋Ｂを開放することによって雨水を受けて雨樋Ａ本来の目的を達することができる。          
【００１２】
この蓋Ｂの開閉としては、例えば図示していないが、支持筒と軸棒の２重構成とし、支持筒は雨樋Ａの外側上端に固定し、軸棒に開閉蓋Ｂを櫛状に凸部を設け、外筒としての支持筒に開放窓を設けて支持筒を通して固定し、軸棒を支持筒の外側に突出させ、この突出部にギヤー、ワイヤーによって手動或は電動等で容易に作動させることができるが、この操作は任意とする。
【産業上の利用可能性】
【００１３】
上述のように本考案の蓋付き雨樋は、多雪地帯の雨樋として適しているため従来雨樋を設けることの少ない雪国の屋根に適しているため、本案の雨樋を設けることによって家の汚損腐朽が防げ耐久年も向上するためこの雨樋の利用の可能性はきわめて大きいものと確信する。
【図面の簡単な説明】
【００１４】
【図１】雨受板を長く形成した雨樋Ａの使用の実施例図
【図２】鼻隠し板のある屋根に利用する実施例図
【符号の説明】
【００１５】
１  雨受板
３  回転軸
５  屋根板
８  鼻隠し板        
Ａ  雨樋
Ｂ  雨樋の蓋
Ｘ  軒端
【図１】
0003133893.tif 000003
【図２】
0003133893.tif 000004
(57)【要約】      （修正有）【課題】駐車した自分の車両を見つけやすくする指標を提供する。【解決手段】駐車する際、棒１に先端ボール２、旗３と吸盤４のついた本考案を車両窓ガラス７に吸盤４を押し付け固定する。また、何らかの理由にて本考案が落下するのを防止するため、落下防止用紐５に付いた落下防止用ボール６を車両窓ガラス７を開け室内に入れ、再度車両窓ガラス７を閉め固定する。また、車両の屋根に取り付けるのではなく窓ガラスに取り付けることにより、背の低いドライバーでも容易に取り付けられる。【選択図】図１
0003133164.tif 000002
【実用新案登録請求の範囲】
【請求項１】
目印となる旗が先端に、車両の窓ガラスに取り付けられるよう吸盤が下端に付いた指標。
【考案の詳細な説明】
【技術分野】
【０００１】  本考案は駐車した自分の車両を見つけやすくする指標に関するものである。
【背景技術】
【０００２】  従来、大型駐車場に来て駐車する際戻るときの為に自分の車両の駐車場所識別記号を覚える必用があった。
【発明が解決しようとする課題】
【０００３】  自分の駐車した識別記号を忘れたとき、または覚えていても広大な駐車場で自分の車両を発見するのは大変であった。よって、本考案はこのような時間の無駄をなくすためになされたものである。
【課題を解決するための手段】
【０００４】  先端に認識用の旗とボールを取り付けた棒を吸盤の傘部に、また紐とボールを装着する。本発明は、以上の構成によりなる車両の位置確認指標である。
【発明の効果】
【０００５】  よって駐車の際に車両の窓ガラスに本発明品を取り付けるだけで、遠方から自分の車両の駐車位置を確認でき、迷うことなく戻ることができる。
【考案を実施するための最良の形態】
【０００６】  本考案に係わる位置確認指標は、図１に示すように棒１の先端にボール２と旗３を取り付け、それを吸盤４に固定する物である。一方、吸盤４に落下防止用紐５と落下防止用ボールを取り付ける。素材は車両窓ガラス、車両ボデーに傷をつけないようにプラスチック類を利用するのが望ましい。
【図面の簡単な説明】
【０００７】
【図１】  本考案に係わる位置確認指標を、車両の窓ガラスに使用した状態の断面積である。
【符号の説明】
【０００８】  １    棒
２    先端ボール
３    旗
４    吸盤
５    落下防止用紐
６    落下防止用ボール
７    車両窓ガラス
【図１】
0003133164.tif 000003
(57)【要約】      （修正有）【課題】片手だけの筆記作業の時に、時間が掛かり字体も崩れてしまう不都合を解消する。【解決手段】Ｌ型平板１に、手２の平で包み込める程の大きさの突起物を取り付け、その頭３が左右自在に動く様にした筆記用補助具１０を提供する。【選択図】図３
0003133163.tif 000002
【実用新案登録請求の範囲】
【請求項１】
Ｌ型平板に、手の平で包み込める程の大きさの突起物を取り付けその頭が左右自在に動く様にした筆記用補助具。
【考案の詳細な説明】
【技術分野】
【０００１】本考案は、左右どちらかの手が使えない状態の時に、片手での筆記作業を補助できるようにしたものである。
【背景技術】
【０００２】従来は、片手だけの筆記作業に紙が固定出来なく紙面のずれが生じたりしていた。
【考案の開示】
【考案が解決しようとする課題】
【０００３】しかし、これでは、筆記作業に時間が掛かり字体も崩れ不便である。
【課題を解決するための手段】
【０００４】そこで、Ｌ型平板に、手の平で包み込める程の大きさの突起物を取り付けその頭が左右自在に動く様にして手首の動きに対して柔軟に対応できる様にした筆記用補助具を考案した。この筆記用補助具により、紙が固定できるため、紙面がずれなく容易に筆記できるのである。
【考案の効果】
【０００５】よって、本考案の筆記用補助具により、片手だけで筆記作業する時に時間も掛からず字体も崩れる事がなくなる。また、消しゴムを使用するときも紙の引きずりが無く作業が容易である。また、簡単な水平線及び垂直線も引く事ができる。
【考案を実施するための最良の形態】
【０００６】本考案に係る筆記用補助具１０は、Ｌ型平板１に手２の平で包み込める程の大きさの突起物の頭３が左右自在に動く様に取り付けて形成されている。突起物の頭３の形状は手の平の中で回転し易い様に球状が良い。自在に突起物の頭３が動く様に突起物の軸素材はスプリング４が望ましい。Ｌ型平板１の素材は透明なアクリルが望ましく、水平方向、垂直方向に目盛り７を入れて定規にすると良い。
【図面の簡単な説明】
【０００７】
【図１】本考案の平面図である。
【図２】本考案の断面図である。
【図３】本考案の使用状況を示す斜視図である。
【符号の説明】
【０００８】  １  Ｌ型平板
２  手
３  突起物の頭
４  スプリング
５  筆記具
６  紙
７  目盛り
８  ビス
１０  筆記用補助具
【図１】
0003133163.tif 000003
【図２】
0003133163.tif 000004
【図３】
0003133163.tif 000005
(57)【要約】【課題】  かけふとんかば−の取り替えが、大変である不都合の解消。【解決手段】  袋状であるところの、座布団および布団の、かけふとんかば−を出入り口ファスナ−の位置を，開閉ファスナ−１のように斜めにすることによって、この課題を解決する。【選択図】図１
0003133162.tif 000002
【実用新案登録請求の範囲】
【請求項１】
座布団及び布団等の、全面かけふとんかば−に関して、ファスナ−部分を従来の横一線取り付ファスナ−より、面の対角線上斜めにファスナ−を取り付け、着脱を非常に簡単にする、全面かけふとんかば−。
【考案の詳細な説明】
【技術分野】
【０００１】  本考案は，座布団及び布団類全般の全面かけふとんかば−に関する。
【背景技術】
【０００２】  従来のかけふとんかば−では、四角形及び長方形の一片に、開閉ファスナ−がついていた。
【考案の開示】
【考案が解決しようとする課題】
【０００３】  しかし、これでは、かけふとんかば−を交換する際、大変着脱しにくく、手間がかかり重い布団の場合は重労働だった。
【課題を解決するための手段】
【０００４】  そこで、四角形及び長方形の片面に対角線上斜めの開閉ファスナ−をつける。
【考案の効果】
【０００５】  よって、本考案のらくちんかば−により、かけふとんかば−カバ−の交換が重労働ではなく，楽に交換できる。
【考案を実施するための最良の形態】
【０００６】  本考案のらくちんかば−により、交換の際はまず、らくちんかば−を広げて敷いた上に、図１−１のファスナ−を開ける。その上に布団を広げてのせます。自分は布団の上に乗りながら、片手で布団の角をつまみ、もう片手でカバ−の図１−１のファスナ−の真中当たりを持ち上げ布団の角をカバ−に滑り込ませます。反対側も同じようにしてから、図１−１のファスナ−を閉めます。
【図面の簡単な説明】
【０００７】
【図１】  本考案のらくちんかば−の作成後の図面である。
【図２】  従来のカバ−の図面である。
【符号の説明】
【０００８】  １  開閉ファスナ−部
【図１】
0003133162.tif 000003
【図２】
0003133162.tif 000004
(57)【要約】【課題】  従来の半球状調理用ボウルの形状をだ円球状ボウルに変えることにより、必要な容量は保持するなど従来の機能は備えつつ、より便利で効率的な調理用具としての働きを実現できること。具体例としては、食材と調味液を半球状ボウルに比べて均等に混ぜておくことができる、またスペースの節約が可能なため冷蔵庫への保存や使用後の収納が容易となることなどが挙げられる。【解決手段】  本考案は、形状がだ円球状である。底面積は半球状のものよりやや広い。このことは、調理の過程においても頻度の高い食材と調味液とを混ぜ合わせてなじませておくという作業を行う際に、その調味液を底に滞留させずにすむ利点をうむ。保存、収納ともに容易である。狭い台所や調理台で場所をとらずにすむだ円球状ボウルは作業を行う際に有効である。【選択図】図１
0003133165.tif 000002
【実用新案登録請求の範囲】
【請求項１】
従来は底面が平らな半球状の調理用ボウルをだ円球状にすることにより、必要な容量は保ちつつ、狭いスペースで使いやすく、収納もしやすくした、だ円球状調理用ボウル。
【考案の詳細な説明】
【技術分野】
【０００１】  本考案は、調理用ボウルに関するものである。
【背景技術】
【０００２】  従来の調理用ボウルは、通常金属製（ステンレス製）で、底面が平らな半球状である。
【考案の開示】
【考案が解決しようとする課題】
【０００３】  半球状ボウルは、調理台や収納時のスペースを必要とする。形状をだ円球状にすることにより、容量は保ちつつ必要スペースを節約し、かつ収納を容易にするものである。
【課題を解決するための手段】
【０００４】  本考案は、形状を底面が平らな半球状からだ円球状に変えることで、調理用ボウルの使い勝手を飛躍的に向上させることができる。
【考案の効果】
【０００５】  従来の半球状ボウルは場所をとる傾向にあったが、だ円球状ボウルを使用することにより、幅が狭まり調理台の上に並べて置くことができ、作業スペースの確保に役立つ。食材を冷蔵庫などに保存する場合も、収納しやすい。ラップやアルミホイルで覆う際にも口がだ円形のボウルは覆いやすいという利点がある。また、長さのある食材を入れる場合にも有効である。使用後の収納も場所をとらずに済み、大きさの異なるボウルを入れ子式にしておくと少ないスペースで収納が可能である。調味液（漬け込みダレなど）と食材を混ぜておく際も半球状ボウルは底面に液が滞留するが、だ円球状ボウルは底面積が広いため均一に混ぜておきやすい。
【考案を実施するための最良の形態】
【０００６】  形状（符号１及び３）をだ円球状とした底面（符号２）が平らな金属製（ステンレス製）調理用ボウルであること。
【図面の簡単な説明】
【０００７】
【図１】本考案の実施例を示す斜視図である。
【図２】本考案の実施例を上から見た平面図である。
【図３】本考案の実施例の側面図である。
【符号の説明】
【０００８】  １  ボウル本体
２  ボウル底部
３  ボウルの縁
４  ボウル側面
【図１】
0003133165.tif 000003
【図２】
0003133165.tif 000004
【図３】
0003133165.tif 000005
(57)【要約】【課題】魚が餌をくわえた時及び横に走った時抵抗感や違和感を与えないようにしたライン遊動転倒ウキを提供する。【解決手段】ラインをウキの頭頂部から出すことに依って梃子の力が働き小さな力でウキを転倒し、ラインとウキを固定しないフリーの遊動で魚が餌をくわえて走ってもラインは抵抗なく出て魚に抵抗感や違和感を与えない事を特長とする。【選択図】図４
0003133124.tif 000002
【実用新案登録請求の範囲】
【請求項１】
ライン遊動転倒ウキの形状・構造
【考案の詳細な説明】
【技術分野】
【０００１】この発明はライン遊動転倒ウキに関するものである。
【背景技術】
【０００２】ライン遊動転倒ウキは海面近くを回遊する魚、例サヨリ等を釣るのを主とするウキである。
【発明の効果】
【０００３】ライン遊動転倒ウキは魚が餌をくわえると直ぐにウキが横に倒れ魚の習性で餌をくわえたまま横に走ります、本ウキはラインだけ抵抗なく出ていきます、違和感がないので魚は餌を放すことはありません。
【０００４】ハリス又はラインはウキの頭頂部から出ているので梃子の力が働き小さい力でウキは倒れ魚に負担をかけません。
【０００５】ラインは、ウキの中を通っているだけでウキに固定してありませんのでウキを引張ることはありません魚に抵抗感や違和感を与えないので餌を放すことはありません。
【考案を実施するための最良の形態】
【０００６】ウキの頭頂部からラインを出してウキを倒れやすくする、ウキ本体の中をラインが抵抗なく通るようにする、以上の構造が魚に違和感を与えない。
【図面の簡単な説明】
【図１】ライン遊動転倒ウキの断面
【図２】ウキを斜め上から見た図
【図３】ウキを斜め下から見た図
【図４】海面上に浮いているウキ
【図５】魚が餌をくわえて転倒したウキ
【図６】魚が餌をくわえ走ってもラインのみ抵抗なく出ていく図
【符号の説明】
１  錘り
２  ラインの通る中空の穴
３  海面
４  ライン
５  餌
【図１】
0003133124.tif 000003
【図２】
0003133124.tif 000004
【図３】
0003133124.tif 000005
【図４】
0003133124.tif 000006
【図５】
0003133124.tif 000007
【図６】
0003133124.tif 000008
【手続補正書】
【提出日】平成19年4月2日(2007.4.2)
【手続補正１】
【補正対象書類名】実用新案登録請求の範囲
【補正対象項目名】全文
【補正方法】変更
【補正の内容】
【実用新案登録請求の範囲】
【請求項１】
ウキ本体の頂部に中空パイプを設けウキ本体にあけた穴と直結する貫通孔を有することを特徴とするライン遊動転倒ウキの構造。